(57)【要約】【課題】戸の開き量が少ない場合でも確実にカゴの走行を防止することができる戸開走行防止装置を提供する。【解決手段】本考案に係る戸開走行防止装置は、ガイドレール５に沿ってカゴが上下に走行するエレベータに用いられ、戸が開いたままカゴが走行するのを防止するための戸開走行防止装置であって、カゴの上枠３及び下枠に設けられ、戸が開くとガイドレール５側に向かって突き出した状態となる突出部材７と、ガイドレール５の裏面５ａ側に設けられ、突き出した状態となっている突出部材７と係合してその上下動を制限する制限部材８とを備えている。【選択図】図２
0003150564.tif 000002
【実用新案登録請求の範囲】
【請求項１】
ガイドレールに沿ってカゴが上下に走行するエレベータに用いられ、前記カゴの戸が開いている際に前記カゴが走行するのを防止するための戸開走行防止装置であって、
前記カゴ側に設けられ、前記戸が開くと前記ガイドレール側に向かって突き出した状態となる突出部材と、
前記ガイドレール側に設けられ、突き出した状態となっている前記突出部材と係合して前記突出部材の上下動を制限する制限部材と、
を備えたことを特徴とする戸開走行防止装置。
【請求項２】
前記突出部材は、前記戸が開きだすと突き出した状態となり、前記戸が閉まると元の状態に戻ることを特徴とする請求項１に記載の戸開走行防止装置。
【請求項３】
前記制限部材は、前記ガイドレールの背面に設けられた金属製の平板状部材であり、前記突出部材を受け入れるための貫通穴を有していることを特徴とする請求項１または２に記載の戸開走行防止装置。
【請求項４】
前記突出部材が、前記カゴの床部分を支えるカゴ下枠及び前記カゴの天井部分を支えるカゴ上枠の両方に備えられていることを特徴とする請求項１〜３のいずれかに記載の戸開走行防止装置。
【考案の詳細な説明】
【技術分野】
【０００１】
ガイドレールに沿ってカゴが上下に走行するエレベータにおいて、戸が開いたままの状態でカゴが走行するのを防止する戸開走行防止装置に関する。
【背景技術】
【０００２】
近年、着床階において、戸が開いたままの状態でエレベータのカゴが上下に走行（以下、戸開走行という）することによる人身事故が多発し、各種報道で取り上げられたこともあって、社会的に大きな問題となっている。
【０００３】
戸開走行を防止するための装置を備えたエレベータとしては、例えば、特許文献１に記載のものが知られている。図４に示すように、このエレベータ２０は、カゴ２１の戸２２に設けられた第１の係合部材２３と乗場敷居２４に設けられた第２の係合部材２５とを備える。そして、戸２２が開くと第１の係合部材２３と第２の係合部材２５とが係合し、カゴ２１の上下動が制限されるようになっている（図４（Ｂ）参照）。
【先行技術文献】
【特許文献】
【０００４】
【特許文献１】特開２００８−２０１５３３号公報
【考案の概要】
【考案が解決しようとする課題】
【０００５】
しかしながら、上記従来のエレベータ２０では、戸２２の動きと第１の係合部材２３の動きが完全に連動しているので、戸２２が開きだした瞬間、すなわち戸２２の開き量が少ない場合にカゴ２１の走行を防止することができなかった。
【０００６】
そこで、本考案は、戸の開き量が少ない場合でも確実にカゴの走行を防止することができる戸開走行防止装置を提供することを課題とする。
【課題を解決するための手段】
【０００７】
上記課題を解決するために、本考案に係る戸開走行防止装置は、ガイドレールに沿ってカゴが上下に走行するエレベータに用いられ、前記カゴの戸が開いている際に前記カゴが走行するのを防止するための戸開走行防止装置であって、前記カゴ側に設けられ、前記戸が開くと前記ガイドレール側に向かって突き出した状態となる突出部材と、前記ガイドレール側に設けられ、突き出した状態となっている前記突出部材と係合して前記突出部材の上下動を制限する制限部材とを備えたことを特徴とする。
【０００８】
好ましくは、前記突出部材は、前記戸が開きだすと突き出した状態となり、前記戸が閉まると元の状態に戻るよう構成されている。
【０００９】
前記制限部材は、例えば、前記ガイドレールの背面に設けられた金属製の平板状部材に、前記突出部材を受け入れるための貫通穴を形成したものである。
また、前記突出部材は、例えば、前記カゴの床部分を支えるカゴ下枠及び前記カゴの天井部分を支えるカゴ上枠の両方に備えられていることが好ましい。
【考案の効果】
【００１０】
本考案によれば、戸の開き量が少ない場合でも確実にカゴの走行を防止することができる戸開走行防止装置を提供することができる。
【図面の簡単な説明】
【００１１】
【図１】本考案に係る戸開走行防止装置を備えたエレベータであって、（Ａ）は乗場側から見た正面図、（Ｂ）は天井側から見た上面図である。
【図２】本考案に係る戸開走行防止装置を備えたエレベータのガイドシュー付近の拡大図であって、（Ａ）は正面図、（Ｂ）は上面図、（Ｃ）はガイドレールの裏面側から見た側面図である。
【図３】本考案に係る戸開走行防止装置を備えたエレベータの動作を説明するためのブロック図である。
【図４】従来のエレベータを天井側から見た横断面図であって、（Ａ）は戸が閉まった状態、（Ｂ）は戸が開ききった状態を示す図である。
【考案を実施するための形態】
【００１２】
以下、添付図面を参照して、本考案に係る戸開走行防止装置の好ましい実施形態について説明する。
【００１３】
図１は、本考案に係る戸開走行防止装置を備えたエレベータの一例であって、（Ａ）は乗場側から見た正面図、（Ｂ）は天井側から見た上面図である。これらの図に示すように、エレベータ１は、所定の間隔をおいて平行に対向配置されたＴ字状断面を有する一対のガイドレール５と、ガイドレール５に沿って昇降路内を上下に走行するカゴ２と、カゴ２を昇降させるための不図示の巻上機とを備える。
【００１４】
カゴ２は、その天井部を支えるカゴ上枠３と床部分を支えるカゴ下枠４とを備え、カゴ上枠３及びカゴ下枠４の左右の各先端部にはガイドレール５を挟み込むためのガイドシュー６が備えられている。すなわち、カゴ２には計４つのガイドシュー６が備えられており、それぞれのガイドシュー６がガイドレール５を挟み込んでいる。これにより、カゴ２は、ガイドレール６に沿ってスムーズに昇降することができる。
【００１５】
また、カゴ２は、左右両開きの一対の戸９を備える。戸９の開閉は不図示の制御部によって制御されており、カゴ２が各階に到着して停止すると開き、人の乗降が完了して操作パネルの“閉ボタン”が押されると閉じる。
【００１６】
図２は、ガイドシュー６付近の拡大図であって、（Ａ）は正面図、（Ｂ）は上面図、（Ｃ）はガイドレール５の裏面５ａ側から見た右側面図である。これらの図に示すように、上枠３の先端部には、制御部からの指令に応じてガイドレール５側に向かって突き出す金属製の突出部材７が備えられている。突出部材７としては、電磁式、油圧式、エア式等の各種の方式によるものが使用できる。なお、突出部材７は棒状であればよく、円柱状には限定されない。
【００１７】
ガイドレール５の裏面５ａ側には、ボルト等の固定具によって制限部材８が取り付けられている。制限部材８は、突出部材７に対応した位置に貫通穴８ａが形成された金属製の平板状部材である。制限部材８の厚さは当該エレベータ１の最大荷重に基づいて決定される。また、制限部材８は、カゴ２が各階の所定位置に停止した際に、突出部材７と貫通穴８ａの位置が揃うように取り付けられている。
【００１８】
なお、特に図２（Ｂ）に示すように、制限部材８は長辺縁部が折り曲げ加工されているが、必要な機械的剛性が十分確保できる場合は、この折り曲げ加工を省略することができる。
【００１９】
突出部材７が突き出すと、貫通穴８ａを介して制限部材８と突出部材７とが係合する。したがって、突出部材７の上下動すなわちカゴ２の上下動（走行）は、制限部材８によって制限されることになる。一方、制限部材８は、突き出していない状態の突出部材７とは係合しない。したがって、この場合はカゴ２の上下動は、制限部材８によって制限されることはない。
【００２０】
なお、図２は、カゴ上枠３に備えられたガイドシュー６付近の構成を示す図であるが、カゴ下枠４側もほぼ同様の構成となっている。
【００２１】
次に、図３のブロック図を参照して、本考案に係る戸開走行防止装置を備えたエレベータ１の動作について説明する。この図に示すように、制御部１０は、操作パネル１１から入力される動作指令や戸開センサ１２から出力される信号に基づいて、巻上機１３、戸９及び突出部材７を制御する。
【００２２】
戸開センサ１２は戸９の近傍に備えられ、戸９の開閉状態に関する信号を出力する。例えば、戸開センサ１２からは戸９が閉まっている（開き量＜閾値（例えば、１０ｃｍ））場合にＬｏｗレベルの信号が出力され、戸９が開く（開き量≧１０ｃｍ）とＨｉｇｈレベルの信号が出力される。もちろん、上記閾値は任意に変更することができる。
【００２３】
制御部１０は、戸開センサ１２からの信号がＨｉｇｈレベルである場合は突出部材７を突き出させ、Ｌｏｗレベルである場合は突き出させない。すなわち、制御部１０は、戸９が開くとすぐに突出部材７を突き出させる。これにより、戸９が開いたままカゴ２が走行するのを確実に防止することができる。
【００２４】
続いて、エレベータ１の具体的な動作の一例として、人が２階から５階に移動する際の動作について説明する。人が乗場にある操作パネル１１の“△（上）ボタン”を押すと、制御部１０が巻上機１３を動作させ、カゴ２が２階の所定位置に移動する。そして、戸９が開きだすとともに突出部材７と制限部材８が係合する。これにより、カゴ２は走行が制限された状態となる。
【００２５】
人がカゴ２に乗り込んでカゴ内にある操作パネル１１の“閉ボタン”が押すと、制御部１０からの指令により戸９が閉まりだす。そして、戸９の開き量が閾値以下になると突出部材７が元の状態に戻り、カゴ２は走行が制限されない状態となる。その後、制御部１０は巻上機１３を動作させ、カゴ２を５階に移動させる。
【００２６】
カゴ２が５階の所定位置に到着すると、戸９が開きだすとともに突出部材７と制限部材８とが係合し、カゴ２は走行が制限された状態となる。そして、戸９がある程度開いた後に、人がカゴ２から降りる。
【００２７】
以上のように、本考案に係る戸開走行防止装置によれば、戸９が僅かにでも開くとすぐに突出部材７と制限部材８とが係合する。これにより、戸９が開いたままカゴ２が走行するのを確実に防止することができる。
【００２８】
以上、本考案に係る戸開走行防止装置の好ましい実施形態について説明したが、本考案は上記構成に限定されるものではない。
例えば、突出部材７と制限部材８とからなる組は４組に限定されず、適宜増減することができる。ただし、戸開走行を確実に防止するという観点からは、突出部材７と制限部材８の組は多いほうが望ましい。
また、突出部材７及び制限部材８の材料は金属に限定されず、必要な機械的剛性を有するあらゆる材料を使用することができる。
また、制限部材８の取り付け位置はガイドレール５の裏面５ａに限定されず、昇降路の内壁に取り付けてもよい。
【００２９】
また、戸９が開ききっていることを示す戸開信号と、完全に閉じきっていることを示す戸閉信号の２種類の信号を出力するタイプの戸開センサ１２（図３参照）を使用する場合は、戸閉信号が出力されていない場合に突出部材７を突き出させるよう制御すればよい。これにより、戸９が開きだすとすぐにカゴ２の走行を制限することができる。
【符号の説明】
【００３０】
１      エレベータ
２      カゴ
３      カゴ上枠
４      カゴ下枠
５      ガイドレール
６      ガイドシュー
７      突出部材
８      制限部材
９      戸
１０    制御部
１１    操作パネル
１２    戸開センサ
１３    巻上機
【図１】
0003150564.tif 000003
【図２】
0003150564.tif 000004
【図３】
0003150564.tif 000005
【図４】
0003150564.tif 000006